(57)【要約】【課題】  ビニルハウスの内側又は外側で保温、断熱、遮光のための内張シートや扉などのスライドさせるべき部材を簡易な構造で水平方向にスライドさせるためのスライド機構を提供する。【解決手段】  ビニルハウスの内側又は外側でスライドされるべき部材を水平方向にスライドさせるためのスライド機構であって、ビニルハウスの内側又は外側に水平方向に配設されて開放方向が真下向きを除いて開放しているレール９ａと、レール９ａとの間で抜けない状態で係合する係合部１９と、係合部１９が形成された板状部２１と、板状部２１に一端が取り付けられるバネ部２３とを備え、バネ部２３の他端はスライドされるべき部材の内張シートなどが接続されるものである。【選択図】  図６
2020068681.tif 000002
【特許請求の範囲】
【請求項１】
ビニルハウスの内側又は外側でスライドされるべき部材を水平方向にスライドさせるためのスライド機構であって、
前記ビニルハウスの内側又は外側に水平方向に配設されて開放方向が下向きを除いて開放しているレールと、
前記レールとの間で抜けない状態で係合する係合部と、
前記係合部が形成された板状部と、
前記板状部に一端が取り付けられるバネ手段又はフック部とを備え、
前記バネ手段の他端又は前記フック部には前記スライドされるべき部材が接続される、スライド機構。
【請求項２】
前記レールは前記ビニルハウスに用いられる合成樹脂フィルムを止める条材として利用されることが可能なものであり、前記係合部は前記レールとの間で空間的なゆとりを持っていることを特徴とする、請求項１記載のスライド機構。
【請求項３】
前記レールは、前記合成樹脂フィルムをハウス構築材上に被覆定着するためのフィルム止め部材でもあり、前記ハウス構築材にその背面側が固定される長尺帯板状の底壁部と、前記底壁部の長手側をなす左右端縁をそれぞれ内側斜め上方に立ち上げて形成される左右側壁部と、前記左右側壁部の先端を、内側に屈曲させて円柱状空間を有するように折り返して形成した折込部と、を有する、請求項２記載のスライド機構。
【請求項４】
前記レールは断面がＣ形をしたものである、請求項１記載のスライド機構。
【請求項５】
前記係合部は回転するローラ部である、請求項１から４のいずれかに記載のスライド機構。
【請求項６】
前記板状部は細長い形状をしており、前記板状部の一端側に前記係合部が形成され、前記板状部の他端側に前記バネ手段が取り付けられる、請求項１から５のいずれかに記載のスライド機構。
【請求項７】
前記係合部は複数であり、前記板状部には前記複数の係合部が形成されている、請求項１から５のいずれかに記載のスライド機構。
【請求項８】
前記板状部は三角形の形状をしており、その頂点の一つの位置に前記バネ手段の一端が取り付けられ、他の２つの頂点の位置のそれぞれには係合部が形成されていることを特徴とする、請求項７記載のスライド機構。
【請求項９】
ビニルハウスの内側又は外側で水平方向に配設されるレールに沿ってスライドされるべき部材を水平方向にスライドさせるためのスライド機構の可動部分であって、
前記レールは、開放方向が下向きを除いて開放して配設されるものであり、
前記レールとの間で抜けない状態で係合する係合部と、
前記係合部が形成された板状部と、
前記板状部にその一端が取り付けられるバネ手段又はフック部とを備え、
前記バネ手段の他端又は前記フック部には前記スライドされるべき部材が接続される、スライド機構の可動部分。
【発明の詳細な説明】
【技術分野】
【０００１】
本発明は、スライド機構及びスライド機構の可動部分に関し、特に、ビニルハウスの内側又は外側で水平方向にスライドされるべき部材をスライドさせるためのスライド機構等に関する。
【背景技術】
【０００２】
ビニルハウスでは農作物を作っていることから、保温、断熱、遮光、換気も必要であり、ビニルハウスにおいても、シートの開閉が必要になっている。その開閉機構としては、例えば特許文献１に記載のような技術がある。この技術は、巻き上げ機構を用いて、外張りシートを上下させる構造をとっている。なお、内張のものもあるが、同じく上下方向で、巻き上げ機構を用いて上下させる構造をとっている。
【０００３】
また、ビニルハウスにおいて、出入り口扉は、引き戸の構造が用いられている。例えば、特許文献２に記載のものでは、下レール走行型のものとされている。
【０００４】
また、特許文献３、４に示すように、上レールは、矩形Ｃ字状で下向きに開放しており、２つのローラが底部側で引っ掛けられる構造をしている（図１９も参照）。なお、一般に、カーテンやカーテンドアのようなスライドさせて開閉ができるものを吊るす構造もあるが、上に取り付けられるレールが用いられる。レールは、下向きに開放していて、特許文献３，４に示すのと同様に、底部側にフックが吊り下げられ、フックがスライドすることによりカーテン等の開閉が行われる。
【先行技術文献】
【特許文献】
【０００５】
【特許文献１】特開２０１４−２２１０３２号公報
【特許文献２】特開２０１４−４２４９５号公報
【特許文献３】特開２００５−２５３４１４号公報
【特許文献４】特開２０１２−１４０７５８号公報
【発明の概要】
【発明が解決しようとする課題】
【０００６】
しかしながら、特許文献１に記載の技術では、外張りシート全体を巻き上げる構造になっており、装置も含め大型のものとなっているという問題がある。シートが外張りではなく、内張りの場合も同様に、内側に骨組構造の上に位置するように内張シート全体を巻き上げる構造になっており、同様の問題がある。
【０００７】
一方で、内張シートに対して、一般の住居で使用するようなカーテンやカーテンドアのようなレールを使うには、ハウスの壁面がトップ位置に向かって弧を描くような形状をしていることもあって、スライドさせることが簡単ではないという問題がある。
【０００８】
また、特許文献１の技術では、全体ではなく一部だけを開放したり、一部だけを閉めたりすることが難しいという問題もある。通常、内張シートについては、日中に使用し、夜は不要という位置付けになっているものの、保温、断熱、遮光、換気の観点から必要に応じた細かな対応が必要な場合もあり、その一部の開閉については、開閉負担を小さくすることに繋がり、巻き上げ機構のような装置を必要としない点からもユーザから期待されているものの、現状では対応できていないという問題がある。
【０００９】
さらに、特許文献２に示すような出入り口扉として下レール走行型引き戸の構造の場合には、通常、扉はハウスの内側又は外側のいずれかに取り付けられる。すなわち、吊り下げる形ではなく、外側と内側の両方に扉を付けることは行われない。また、特許文献３、４に示すような上レールを用いる場合にも、ローラを左右の２つ必要とすることから、幅がとられることもあって、扉はハウスの内側又は外側のいずれにかに取り付けられる。一方で、保温、断熱、遮光の観点などから、内側と外側との両方に出入り口扉があることが期待されても、大型な上又は下レール走行型引き戸の構造を二つも取り付けるのは現実的ではなく、少なくとも一方は、カーテン等のような吊り下げ型スライド機構で、例えば内張シートを用いた扉であれば、保温、断熱、遮光、換気の観点からも理にかなったものとできるが、現状ではそのようなものはない。
【００１０】
ゆえに、本発明は、ビニルハウスの内側又は外側で保温、断熱、遮光のための内張シートや扉などのスライドさせるべき部材を簡易な構造で水平方向にスライドさせるためのスライド機構を提供することを目的とする。
【課題を解決するための手段】
【００１１】
本発明の第１の観点は、ビニルハウスの内側又は外側でスライドされるべき部材を水平方向にスライドさせるためのスライド機構であって、前記ビニルハウスの内側又は外側に水平方向に配設されて開放方向が下向きを除いて開放しているレールと、前記レールとの間で抜けない状態で係合する係合部と、前記係合部が形成された板状部と、前記板状部に一端が取り付けられるバネ手段又はフック部とを備え、前記バネ手段の他端又は前記フック部には前記スライドされるべき部材が接続されるものである。  
【００１２】
この観点によれば、バネ手段が用いられることにより、付勢力が働き、ハウスの壁面がトップ位置に向かって弧を描くような形状であっても、重力の力を逃がしながらスライドさせることができ、スライド機構を機能させることができる。
【００１３】
本発明の第２の観点は、第１の観点において、前記レールは前記ビニルハウスに用いられる合成樹脂フィルムを止める条材として利用されることが可能なものであり、前記係合部は前記レールとの間で空間的なゆとりを持っていることを特徴とするものである。
【００１４】
この観点によれば、合成樹脂フィルムを止める条材として利用されるものをレールとしても兼務することができる。また、係合部はレールとの間で空間的なゆとりを持っていることから、スライドにおける摩擦をバネ手段による付勢力と相まって小さくできる。
【００１５】
本発明の第３の観点は、第２の観点において、前記レールは、前記合成樹脂フィルムをハウス構築材上に被覆定着するためのフィルム止め部材でもあり、前記ハウス構築材にその背面側が固定される長尺帯板状の底壁部と、前記底壁部の長手側をなす左右端縁をそれぞれ内側斜め上方に立ち上げて形成される左右側壁部と、前記左右側壁部の先端を、内側に屈曲させて円柱状空間を有するように折り返して形成した折込部と、を有するものである。
【００１６】
本発明の第４の観点では、第１の観点において、前記レールは断面がＣ形をしたものである。
【００１７】
本発明の第５の観点では、第１〜第４の観点のいずれかにおいて、前記係合部は回転するローラ部である。
【００１８】
この観点によれば、ローラ部を用いることにより、スライドにおける摩擦をより小さいものとできる。
【００１９】
本発明の第６の観点は、第１〜第５の観点のいずれかにおいて、前記板状部は細長い形状をしており、前記板状部の一端側に前記係合部が形成され、前記板状部の他端側に前記バネ手段が取り付けられるものである。
【００２０】
この観点によれば、細長い形状により、スライドされるべき部材の加重をレールに対してほぼ真下に加えるのではなく、ずらしてかけることになり、スライド機構への荷重負担を小さくできて、スライドにおける摩擦を小さくできる。
【００２１】
本発明の第７の観点は、第１〜第５の観点いずれかにおいて、前記係合部は複数であり、前記板状部には前記複数の係合部が形成されているものである。
【００２２】
複数の係合部を用いることにより、スライドされるべき部材の荷重が複数に分散することになり、スライド機構への荷重負担の分散化により１つずつへの負担を小さいものにできる。
【００２３】
本発明の第８の観点は、第７の観点において、前記板状部は三角形の形状をしており、その頂点の一つの位置に前記バネ手段の一端が取り付けられ、他の２つの頂点の位置のそれぞれには係合部が形成されていることを特徴とするものである。
【００２４】
本発明の第９の観点は、ビニルハウスの内側又は外側で水平方向に配設されるレールに沿ってスライドされるべき部材を水平方向にスライドさせるためのスライド機構の可動部分であって、前記レールは、開放方向が下向きを除いて開放して配設されるものであり、前記レールとの間で抜けない状態で係合する係合部と、前記係合部が形成された板状部と、前記板状部にその一端が取り付けられるバネ手段又はフック部とを備え、前記バネ手段の他端又は前記フック部には前記スライドされるべき部材が接続されるものである。
【発明の効果】
【００２５】
各観点の発明によれば、ビニルハウスの内側で保温、断熱、遮光、換気のための内張シートや扉などのスライドさせるべき部材を簡易な構造でスライドさせることが可能になる。
【図面の簡単な説明】
【００２６】
【図１】本発明の実施の形態にかかるスライド機構が用いられてスライドする遮光ネット及びサイド用シート材がビニルハウスに取り付けられた状態を示す図である。
【図２】図１のII方向から見た図である。
【図３】本発明の実施の形態にかかるスライド機構のレールの構造を示す図である。
【図４】図１の棟の位置に設置されたスライド機構を示す図であって図３（Ａ）のレールが用いられている場合を示す図である。
【図５】図１の肩の位置に設置されたスライド機構を示す図であって図３（Ａ）のレールが用いられている場合を示す図である。
【図６】図４及び図５のスライド機構のレールと可動部分の関係を示す斜視図である。
【図７】図６のＶＩＩ方向から見た図である。
【図８】図６のスライド機構の可動部分の斜視図である。
【図９】本発明の実施の形態にかかる他のスライド機構の可動部分を示す斜視図である。
【図１０】図８のスライド機構の可動部分及び図９のスライド機構の可動部分が図３（Ｂ）のレールに取り付けられた状態を示す斜視図である。
【図１１】図１０のＸＩ方向から見た図である。
【図１２】図８のスライド機構の可動部分及び図９とは異なる他のスライド機構の可動部分が図３（Ｂ）のレールに取り付けられた状態を示す斜視図である。
【図１３】図１２のＸＩＩＩ方向から見た図である。
【図１４】図８、図９、図１２に示したスライド機構の可動部分とは異なるさらに他のスライド機構の可動部分を示す斜視図である。
【図１５】図１４のＸＶ方向から見た図である。
【図１６】図１５のＸＶＩ方向から見た図である。
【図１７】図１５のＸＶＩＩの方向から見た図である。
【図１８】本発明の実施の形態にかかるスライド機構が用いられてスライドする扉がビニルハウスに取り付けられた状態を示す図である。
【図１９】図１８の扉に適用されるスライド機構を示す図である。
【図２０】図１８のスライド機構の可動部分を示す図である。
【発明を実施するための形態】
【００２７】
以下に本発明の実施の形態について図面を参照して詳細に説明するが、本発明はこれに限定されるものではない。
【００２８】
図１は、本発明の実施の形態にかかるスライド機構が用いられてスライドする遮光ネット及びサイド用シート材がビニルハウスに取り付けられた状態を示す図である。図２は、図１のIIの方向から見た図である。図３は本発明の実施の形態にかかるスライド機構のレールの構造を示す図である。図４は、図１の棟の位置に設置されたスライド機構を示す図であって図３（Ａ）のレールが用いられている場合を示す図である。図５は、図１の肩の位置に設置されたスライド機構を示す図であって図３（Ａ）のレールが用いられている場合を示す図である。図６は、図４及び図５のスライド機構のレールと可動部分の関係を示す斜視図である。図７は、図６のスライド機構の可動部分の斜視図である。
【００２９】
ビニルハウス１には、内側に、サイド用シート材３と遮光シート５が取り付けられている。ビニルハウス１には複数のアーチパイプ６が用いられて、全体の外形が作られている。アーチパイプ６に対してフィルム止め部材としても兼用できるレール７aとレール７ｂとがクランプ８により取り付けられており、レール7ａとレール７ｂとの間にサイド用シート材３が内張されている。同様に、アーチパイプ６に対してフィルム止め部材としても兼用できるレール９ａとレール９ｂとがクランプにより取り付けられており、レール９aとレール９ｂとの間に遮光シート５が内張されている。遮光シート５は、プーリーブロック１１により、開閉できるようになっている。レール７ａ及びレール７ｂ並びにレール９ａ及びレール９ｂはスライド機構の一部を構成し、スライド機構の可動部分は後述する構成をしており、スライド機構の可動部分によって、サイド用シート材３及び遮光シート５はスライドできるようになっている。
【００３０】
ここで、レール９ａ等としては、図３（Ａ）に示す断面構造の他、図３（Ｂ）及び図３（Ｃ）のようなものでもよく、さらには図３（Ｄ）のようなものでもよい。図３（Ａ）〜（Ｃ）に示すものは、ビニルハウス１に用いられる合成樹脂フィルムを止める条材として利用されることが可能なものであり、後述するスライド機構の可動部分の係合部との間で空間的なゆとりを持っているものとしている。もう少し説明すると、図３（Ａ）に示すものは、合成樹脂フィルムをハウス構築材上に被覆定着するためのフィルム止め部材でもあり、アーチパイプ６のようなハウス構築材にその背面側が固定される長尺帯板状の底壁部１３と、底壁部１３の長手側をなす左右端縁をそれぞれ内側斜め上方に立ち上げて形成される左右側壁部１４ａ，１４ｂと、左右側壁部１４ａ，１４ｂの先端を、内側に屈曲させて円柱状空間を有するように折り返して形成した折込部１５ａ，１５と、を有するものとしている。図３（Ｄ）に示すものは、Ｃ鋼の場合を示している。
【００３１】
図４〜図８を参照して、スライド機構１６は、ビニルハウスの内側に配設されるレール９ａ等と、レール９ａ等との間で抜けない状態で係合する係合部１９と、係合部１９が形成された板状部２１と、板状部２１に一端が取り付けられるバネ部２３とを備えている。係合部１９と、板状部２１と、バネ部２３とで、スライド機構１６の可動部分１７を構成している。バネ部２３の他端にはスライドされるべき部材であるサイド用シート材３又は遮光シート５が取り付けられる。図７に示すように、レール９ａと係合部１９との関係は、嵌合状態ではなく、空間的なゆとりがある状況ではあるが、互いに抜けない関係で係合している。係合部１９はローラになっていて回転可能なものとなっており、レール９ａ内での摩擦は小さくなっている。
【００３２】
図９は、本発明の実施の形態にかかる他のスライド機構の可動部分を示す斜視図である。図１０は、図８のスライド機構の可動部分及び図９のスライド機構の可動部分が図３（Ｂ）のレールに取り付けられた状態を示す斜視図である。図１１は、図１０のＸＩ方向から見た図である。
【００３３】
図９に示すスライド機構の可動部分２５は、レール２４に空間的にはゆとりがありながらも抜けない状態で係合する２つの係合部２７ａ，２７ｂと、係合部２７ａ，２７ｂが設けられた板状部２９と、板状部２９における係合部２７ａ，２７ｂとは反対位置に取り付けられるバネ部３１とを備えている。さらに、可動部分２５は、図１１に示すように、レール２４の外側でガイドの役割を果たすガイド部３３を備える。ここで、係合部２７ａ，２７ｂとガイド部３３は、ローラになっていて回転可能なものとなっており、レール２４内での摩擦は小さくなっている。
【００３４】
図１２は、図８のスライド機構の可動部分及び図９とは異なる他のスライド機構の可動部分が図３（Ｂ）のレールに取り付けられた状態を示す斜視図である。図１３は、図１２のＸＩＩＩ方向から見た図である。
【００３５】
可動部分３５は、係合部３７ａ，３７ｂと、板状部３９と、バネ部４１とを備えている。この可動部分３５は、図９の可動部分２５と同様に、複数の係合部を用いている。係合部３７ａ，３７ｂも、ローラになっていて回転可能なものとなっており、レール２４内での摩擦は小さくなっている。
【００３６】
図１４は、図８、図９、図１２に示したスライド機構の可動部分とは異なるさらに他のスライド機構の可動部分を示す斜視図である。図１５は、図１４のＸＶ方向から見た図である。図１６は、図１５のＸＶＩ方向から見た図である。図１７は、図１５のＸＶＩＩの方向から見た図である。
【００３７】
図１４の可動部分４３は、係合部４５ａ，４５ｂと、板状部４７と、バネ部４９とを備えている。この板状部４７は、略二等辺三角形の形状をしている。ここでも、係合部４５ａ，４５ｂも、ローラになっていて回転可能なものとなっており、レール内での摩擦は小さくなっている。
【００３８】
図１８は、本発明の実施の形態にかかるスライド機構が用いられてスライドする扉がビニルハウスに取り付けられた状態を示す図である。図１９は、図１８の扉に適用されるスライド機構を示し図である。図２０は、図１８のスライド機構の可動部分を示す図である。図１８（Ａ）は正面図、図１８（Ｂ）は平面図、図１８（Ｃ）は右側面図であり、図１８（Ｄ）は斜視図である。
【００３９】
図１９に示すように、従来の扉構造５０では、レール５１は、矩形略Ｃ字状をして下向きに開放する形をしており、２つのローラ５３ａ，５３ｂがそれに引っ掛けられ、扉５５がスライドするようになっている。これに対して、扉５７をスライドさせるべき対象としてスライドさせることが可能なスライド機構５９は、図３（Ａ）に示したレール６１が用いられており、可動部分６３は、保持部６５と、板状部６７とを備え、バネ部に代えてフック部６９を備える。
【００４０】
なお、上記では、保持部をローラにしたが、Ｒ滑車、Ｕ溝滑車、Ｖ溝滑車、凹溝滑車、フラット滑車などの種々の形状の滑車としてよい。
【００４１】
また、上記では、保持部をローラとしたが、回転しないものでもよい。
【符号の説明】
【００４２】
３・・・サイド用シート材、５・・・遮光シート、７ａ，７ｂ，９ａ，９ｂ，２４・・・レール、１６，５９・・・スライド機構、１７，２５，３５，４３，６３・・・可動部分、１９，２７ａ，２７ｂ，３７ａ，３７ｂ，４５ａ，４５ｂ，６５・・・係合部、２１，２９，３９，４７，６７・・・板状部、２３，３１，４１，４９・・・バネ部、５７・・・扉、６９・・・フック部
【図１】
2020068681.tif 000003
【図２】
2020068681.tif 000004
【図３】
2020068681.tif 000005
【図４】
2020068681.tif 000006
【図５】
2020068681.tif 000007
【図６】
2020068681.tif 000008
【図７】
2020068681.tif 000009
【図８】
2020068681.tif 000010
【図９】
2020068681.tif 000011
【図１０】
2020068681.tif 000012
【図１１】
2020068681.tif 000013
【図１２】
2020068681.tif 000014
【図１３】
2020068681.tif 000015
【図１４】
2020068681.tif 000016
【図１５】
2020068681.tif 000017
【図１６】
2020068681.tif 000018
【図１７】
2020068681.tif 000019
【図１８】
2020068681.tif 000020
【図１９】
2020068681.tif 000021
【図２０】
2020068681.tif 000022